(57)【要約】  躯体開口部内周と枠体外周間の隙間を大きく必要とすることなく、枠材を建物開口部の内周面に固定することができる建具取付具を提供する。躯体開口部に固定される躯体固定部材と、建具の枠材に装着されるとともに、躯体固定部材に対して係合する一組の枠固定部材とを備え、躯体固定部材は、躯体開口部に固定されるベース部と、ベース部に設けられる係合部を備え、枠固定部材は、躯体固定部材の係合部に係合される被係合部と、枠固定部材同士を連結する連結手段とを備えるとともに、建具の枠材に対して見付け方向に移動可能であり、躯体固定部材を間にして枠固定部材同士が連結されることにより、枠固定部材の被係合部が躯体固定部材の係合部に係合される。
2017130358.tif 000002
【特許請求の範囲】
【請求項１】
躯体開口部に固定される躯体固定部材と、
建具の枠材に装着されるとともに、躯体固定部材に対して係合する一組の枠固定部材とを備え、
躯体固定部材は、躯体開口部に固定されるベース部と、ベース部に設けられる係合部を備え、
枠固定部材は、躯体固定部材の係合部に係合される被係合部と、枠固定部材同士を連結する連結手段とを備えるとともに、建具の枠材に対して見付け方向に移動可能であり、
躯体固定部材を間にして枠固定部材同士が連結されることにより、枠固定部材の被係合部が躯体固定部材の係合部に係合される
ことを特徴とする建具取付具。
【請求項２】
開口部に取り付けられる枠体と、枠体に支持されるパネル体と、請求項１に係る建具取付具とを備え、
建具の枠体の枠材外周面に、建具取付具の枠固定部材がスライド可能に装着される溝部を有する
ことを特徴とする建具。
【発明の詳細な説明】
【技術分野】
【０００１】
建物開口部に枠体を取り付けるための建具取付具、及び建具取付具を備える建具に関する。
【背景技術】
【０００２】
従来、建物開口部に枠体を固定するに際して、上枠と左右の縦枠については枠材を建物躯体に対してネジや釘等の各種固定手段により直接固定することが可能であるが、下枠については建物躯体に対してネジ等の固定手段により直接固定すると、下枠上面に溜まった水がネジ等の固定部分から下枠の内部に侵入し、建物躯体を腐食させるという問題が発生する。
しかし、下枠の建物躯体への固定を行わなければ風等の外力により窓枠にずれや変形が生じてしまい、最悪の場合には枠体が脱落するという危険性がある。
そこで、下枠の建物躯体への固定については、ネジ等の直接固定手段を用いない固定技術、具体的には、躯体開口部に躯体固定部材を固定するとともに、下枠に枠固定部材を配置して、枠固定部材を枠の長手方向にスライドさせることで両者を当接させて、ネジ等の固定手段で締結することにより枠体を固定する技術が公知となっている。（特許文献１）
【先行技術文献】
【特許文献】
【０００３】
【特許文献１】特開２０１３−２１２６号公報
【発明の概要】
【発明が解決しようとする課題】
【０００４】
しかしながら、上記特許文献１の建具取付具では、枠体を躯体開口部にセットした後、躯体開口部内周と枠体外周間に形成された隙間から枠固定部材を操作して躯体固定部材と枠固定部材を当接させるとともに、両者をネジ等の固定手段で締結する必要があり、躯体開口部内周と窓枠外周との隙間は、ネジ等の固定手段を締結するためのスペースが必要であり、また、その操作も煩雑であった。【０００５】
本発明は、上記事情を鑑み、躯体開口部内周と枠体外周間の隙間を大きく必要とすることなく、枠材を建物開口部の内周面に固定することができる建具取付具及び建具取付具を備える建具を提供することにある。
【課題を解決するための手段】
【０００６】
本発明は、躯体開口部に固定される躯体固定部材と、建具の枠材に装着されるとともに、躯体固定部材に対して係合する一組の枠固定部材とを備え、躯体固定部材は、躯体開口部に固定されるベース部と、ベース部に設けられる係合部を備え、枠固定部材は、躯体固定部材の係合部に係合される被係合部と、枠固定部材同士を連結する連結手段とを備えるとともに、建具の枠材に対して見付け方向に移動可能であり、躯体固定部材を間にして枠固定部材同士が連結されることにより、枠固定部材の被係合部が躯体固定部材の係合部に係合されることを特徴とする。
また、本発明は、開口部に取り付けられる枠体と、枠体に支持されるパネル体と、請求項１に係る建具取付具とを備え、建具の枠体の枠材外周面に、建具取付具の枠固定部材がスライド可能に装着される溝部を有することを特徴とする。
【発明の効果】
【０００７】
本発明によれば、躯体開口部内周と枠体外周との間隔を小さくすることができ、その分、枠体による開口面積を大きくすることができる。
【図面の簡単な説明】
【０００８】
【図１】本発明の実施形態に係る建具の施工時の分解斜視図である。
【図２】本発明の実施形態に係る建具の下枠に建具取付具の一部を取り付けた状態の下方からみた斜視図である。
【図３】本発明の第１の実施形態に係る建具取付具の躯体固定部材の図であり、（ａ）は上方からみた斜視図、（ｂ）は下方から見た斜視図、（ｃ）は平面図である。
【図４】本発明の第１の実施形態に係る建具取付具の枠固定部材の図であり、（ａ）は一組の枠固定部材のうちの右側枠固定部材を上方から見た斜視図、（ｂ）は同左側枠固定部材を上方から見た斜視図、（ｃ）は同左側枠固定部材を下方から見た斜視図、（ｄ）は同右側枠固定部材を下方から見た斜視図である。
【図５】本発明の第１の実施形態に係る建具取付具の枠固定部材の図であり、（ａ）は平面図、（ｂ）は（ａ）を室外側（図中下方側）からみた側面図、（ｃ）は（ａ）を室内側（図中上方側）からみた側面図である。
【図６】本発明の第１の実施形態に係る建具取付具の躯体固定部材を躯体開口部に固定し、枠固定部材を下枠に装着した状態の縦断面図である。
【図７】本発明の第１の実施形態に係る建具取付具の図であり、（ａ）は一組の枠固定部材を離間して配置し、その間に躯体固定部材を配置した状態の平面図、（ｂ）は同側面図である。
【図８】本発明の第１の実施形態に係る建具取付具の図であり、（ａ）は間に躯体固定部材を配置して一組の枠固定部材を連結した状態の平面図、（ｂ）は躯体固定部材が見込み方向にずれて固定されている場合において、一組の枠固定部材を連結した状態を示す平面図である。
【図９】本発明の第２の実施形態に係る建具取付具の躯体固定部材及び連結部材の図であり、（ａ）は躯体固定部材を上方からみた斜視図、（ｂ）は躯体固定部材の平面図、（ｃ）は連結部材の平面図である。
【図１０】本発明の第２の実施形態に係る建具取付具の枠固定部材の図であり、（ａ）は枠固定部材を上方から見た斜視図、（ｂ）は枠固定部材を外周方向からみた側面図、（ｃ）は枠固定部材の平面図、（ｄ）は枠固定部材を室外側（図中下方）からみた側面図である。
【図１１】本発明の第２の実施形態に係る建具取付具の図であり、（ａ）は一組の枠固定部材を離間して配置し、その間に躯体固定部材を配置した状態の平面図、（ｂ）は枠固定部材を下枠に装着して躯体開口部の内周面に配置した状態の縦断面図である。
【図１２】本発明の第２の実施形態に係る建具取付具の図であり、（ａ）は間に躯体固定部材を配置して一組の枠固定部材を当接させた状態の平面図、（ｂ）は同縦断面図である。
【図１３】本発明の第２の実施形態に係る建具取付具の図であり、（ａ）は間に躯体固定部材を配置して一組の枠固定部材を連結させた状態の平面図、（ｂ）は同縦断面図である。
【図１４】本発明の第２の実施形態に係る建具取付具の図であり、間に躯体固定部材を配置して一組の枠固定部材を連結させた状態の斜視図である。
【発明を実施するための形態】
【０００９】
（建具の全体構成）
本発明の建具取付具及び建具取付具を備える建具の実施形態を、図面を用いて説明する。
本発明の本実施形態の建具取付具は、図１に示すように、躯体開口部Ｗの下枠部分の内周面に取り付けられる躯体固定部材１と、建具の下枠５の下面に装着される一組の枠固定部材２，２とから構成されている。
なお、以下の説明において、取り付けられる躯体開口部Ｗの見付け方向ｘ及び見込み方向ｙを、躯体もしくは枠体に固定される各部材（躯体固定部材１及び枠固定部材２等）においても見付け方向及び見込み方向といい、見込み方向ｙにおいて図面の一方側を室内側、他方側を室外側という。
【００１０】
本実施形態においては、図１に示すように、躯体開口部Ｗの下枠部分の見付け方向略中央位置に一つの躯体固定部材１が固定されているとともに、図１，２に示すように、建具の枠材の下枠５の躯体固定部材１に対応する下面位置近傍に一組の枠固定部材２，２が装着されている。そして、枠材を躯体開口部Ｗに配置した状態で躯体固定部材１と枠固定部材２，２とを固定することで、枠体を躯体開口部Ｗに取り付けるものである。
以下、枠体を躯体開口部Ｗに配置するための建具取付具について、図面を示しながら、さらに詳細に説明する。
【００１１】
（建具取付具）
図３乃至８を用いて、本発明の第１の実施形態に係る建具取付具を説明する。
本実施形態に係る建具取付具を構成する躯体固定部材１は、例えばスチールやステンレス等の金属材料からなり、図３（ａ）に示すように、躯体開口部Ｗの下枠部分の上面に配置される平面視略矩形状のベース部１１と、ベース部１１の上面より上方に突出する一対の係合片１２，１２とから構成されている。そして、躯体固定部材１は、ベース部の長手方向を見付け方向、同短手方向を見込み方向として、躯体開口部Ｗの内周面に固定される。
【００１２】
係合片１２は、図３（ａ），（ｂ）に示すように、ベース部１１の上面から略垂直に立ち上がる係合部１２１と係合部１２１の上端を外方に屈曲して形成される上壁部１２２とから構成されている。
そして、一対の係合片１２，１２は、図３（ｃ）に示すように、略矩形状のベース部１１の見込み方向（短手方向）に対して、例えば約２０度の角度の斜線ａ上で係合部１２１，１２１同士が対向するように設けられており、係合部１２１の外方面が建具の見付け方向に対して約２０度の角度で傾斜する係合面として形成されている。係合部１２１の係合面には、上下方向に延びるように外方に突出する係合凸部１２１ａ，１２１ａが横に並んで設けられている。
なお、係合片１２は、例えばベース部１１の略中央位置を切起こすことにより形成することができ、係合凸部１２１ａは切起こしまたは絞り等の加工法によって形成することができる。
そして、躯体固定部材１は、ベース部１１の斜線ａを挟んだ２カ所に、躯体固定部材１を躯体開口部Ｗに固定するためのネジ孔１１ａ，１１ａが設けられており、図６に示すように、ビス等の固定手段ｂ，ｂによって、躯体開口部Ｗの内周面に固定されている。
【００１３】
第１の実施形態に係る建具取付具を構成する一組の枠固定部材２，２は、例えば合成樹脂等の材料からなり、図４（ａ）に示すように、全体として扁平なブロック状をなし、見込み方向の中央部分を構成し、躯体固定部材１と係合する中央本体部２１と、中央本体部２１の見込み方向の両側に連続して形成され枠体に対してスライド自在に係合するスライド部２２，２３とを有している。
なお、図４（ｂ）には、中央本体部２１及びスライド部２２，２３が肉抜部２１２ａ，２２ａ，２３ａを有する枠固定部材２を示している。このように枠固定部材２は、適宜肉抜き加工を施すことが可能である。
【００１４】
中央本体部２１は、図５（ａ）に示すように、見込み方向の両側の線２１ａ，２１ｂを台形の底辺（上底２１ａ，下底２１ｂ）とし、一方側の線２１ｃを両底辺（上底２１ａ，下底２１ｂ）と垂直な台形の脚２１ｃとし、他方側の線２１ｄを建具の見付け方向に対して傾斜する台形の他方側の脚２１ｄとする略台形状をなしている。そして、他方側の脚２１ｄである傾斜辺２１ｄの側面には広い範囲に亘って複数の爪２１１ａを備える被係合面からなる被係合部２１１が形成されている。
そして、中央本体部２１は、一方側の上面に上方に隆起する隆起部２１２を有しており、隆起部２１２と被係合部２１１との間には、被係合部２１１に対して係合方向に弾性を持たせるためのスリット２１３が被係合部２１１に沿って形成されている。
【００１５】
スライド部２２，２３のうち、中央本体部２１の下底２１ｂ側に形成されるスライド部２３は、図４（ａ），（ｄ），図５（ｂ）に示すように、上縁部２３１と下縁部２３２とを有し、上縁部２３１と下縁部２３２とにより側方に開口する溝部２３３を形成している。上縁部２３１は、他方側に延びる係合腕部２３４が設けられ、係合腕部２３４の他方側端部の下面には係合突起２３４ａが下方に設けられている。
一方、中央本体部２１の上底２１ａ側に形成されるスライド部２２は、図４（ｂ），（ｃ），図５（ｃ）に示すように、上縁部２２１と下縁部２２２とを有し、上縁部２２１と下縁部２２２とにより側方に開口する溝部２２３を形成している。上縁部２２１の他方側端部近傍の上面には凹部２２１ａが形成されるとともに凹部２２１ａの他方側端部の上面には被係合突起２２１ｂが上方に突設されている。
そして、スライド部２２，２３に設けられた係合突起２３４ａ及び被係合突起２２１ｂにより、枠固定部材２，２同士を連結する連結手段が構成されている。
【００１６】
そして、枠固定部材２は、図６に示すように、建具を構成する下枠５の底面５ｂに形成された溝状部５１にスライド自在に装着することができる。
溝状部５１は、下枠５の底面５ｂの室内側端に沿って下方に垂下する室内側壁部５１１と、下枠５の底面５ｂの室外側端部に沿って下方に垂下する室外側壁部５１２とにより形成されている。室内側壁部５１１と室外側壁部５１２の下端は、溝状部５１の開口を狭めるように略直角に屈曲されて、下枠５の長手方向に延びる室内側水平レール部５１１ａ及び室外側水平レール部５１２ａが形成されている。
【００１７】
下枠５の溝状部５１に装着された枠固定部材２は、スライド部２２，２３の溝部２２３，２３３が下枠５の室内側、室外側水平レール部５１１ａ，５１２ａに係止され、下方に脱落することなく下枠５の長手方向にスライドすることができる。
このとき、室内側、室外側水平レール部５１１ａ，５１２ａに係止された溝部２２３，２３３の下縁部（操作片）２２２，２３２は、室内側、室外側水平レール部５１１ａ，５１２ａの下方、即ち下枠５の下方に突出している。
そして、下枠５の底面５ｂに形成された見込み方向２カ所のビスホール５ａ，５ａ間に、枠固定部材２の中央本体部２１の隆起部２１２が配置されており、見込み方向のがたつきが少ない状態でスライド自在に装着することができる。
【００１８】
（建具の施工手順）  
本実施形態に係る建具取付具を用いた建具の施工方法について、説明する。
１．躯体固定部材の取付
レンガやコンクリート等で構成された躯体開口部Ｗの下枠部分の内周面に、躯体固定部材１をネジ等の固定手段ｂ，ｂにより固定する。躯体固定部材１の設置数は、施工する建具の幅寸法により適宜設定すればよい。なお、躯体固定部材１を固定する位置は、一つであれば躯体開口部Ｗの略中央位置に固定すればよく、複数個であれば、例えば障子の召合せ部の下方位置等障子の荷重がかかる位置に配置することが好ましい。
【００１９】
２．枠固定部材の取付
建具の下枠５の底面５ｂに形成された溝状部５１に、躯体固定部材１の設置数に応じた組数の枠固定部材２を装着する。一組の枠固定部材２，２は、図７（ａ）に示すように、他方側同士、すなわち被係合部２１１同士が対向するように、下枠５の底面５ｂに設けられた溝状部５１にスライド自在に装着する。
枠固定部材２は、下枠５の両側端部より溝状部５１に挿入して装着することができる。溝状部５１に挿入された枠固定部材２は、溝部２２３，２３３が室内側、室外側水平レール部５１１ａ，５１２ａに案内され、隆起部２１２が下枠５の底面５ｂのビスホール５ａ，５ａ間に案内されることで、溝状部５１に対してスムーズにスライドさせることができる。
【００２０】
３．開口部への建具の配置
下面に枠固定部材２が装着された枠体を、躯体固定部材１が固定された躯体開口部Ｗの内周に配置する。このとき、下枠５の底面５ｂに装着された一組の枠固定部材２，２の間に、躯体開口部Ｗに固定された躯体固定部材１が配置されるように、下枠５を躯体開口部Ｗに配置する。そして、躯体開口部Ｗに配置された下枠５が水平となるように、躯体開口部Ｗと下枠５との間にくさび（スペーサ）を挿入する。
【００２１】
くさびが挿入されることにより、下枠５は、図７（ｂ）に示すように、下枠５の室内側、室外側水平レール部５１１ａ，５１２ａの下面と躯体開口部Ｗとの間に隙間ｓを形成した状態で、水平に配置される。それにより、躯体開口部Ｗの上面と枠体の下枠５の下面との間には、枠固定部材２の下縁部２３２の厚さ以上の隙間ｓ（約５ｍｍ程度）が生じ、スライド部２２，２３の下縁部２２２，２３２をマイナスドライバー等の操作具により押すことで、枠固定部材２，２見付け方向に軽い力で移動させることができる。なお、下枠５と躯体開口部Ｗと内周面に生じる隙間ｓの寸法は、枠固定部材２，２を移動させることができれば、特に限定されるものではなく、枠固定部材２の下縁部２３２の厚さも、下枠５と躯体開口部Ｗと内周面に生じる隙間ｓの寸法に応じて適宜設定することができる。
本実施形態の建具においては、躯体開口部Ｗの内周面と枠体外周面との間隔は、窓枠の全周にわたって約５ｍｍ程度となるように設定されている。
【００２２】
４．上枠及び縦枠の固定
下枠を除く縦枠と上枠については、枠の内周側からネジ等の固定手段で躯体開口部の内周面に固定する。そして、躯体開口部Ｗの内周面と枠体外周面との隙間には、充填材を充填して、隙間を閉塞する。なお、必要に応じて、ネジ等の固定手段による固定に先立って、隙間の適宜箇所にスペーサ等を挿入して隙間間隔の調整を行う。
【００２３】
５．下枠の固定
躯体開口部の内周面と下枠の外周面との隙間ｓ（図７）に、例えばマイナスドライバー等を差し込んで枠固定部材２の下縁部２２２，２３２を操作して、一組の枠固定部材２，２同士が近接するようにスライドさせる。
一組の枠固定部材２，２をスライドさせることにより、図７（ａ）で左側に記載された枠固定部材２（左側枠固定部材２）の被係合突起２２１ｂに対して、同右側に記載された枠固定部材２（右側枠固定部材２）の係合突起２３４ａが上方より係合し、右側枠固定部材２の被係合突起２２１ｂに対して左側枠固定部材２の係合突起２３４ａが上方より係合して、躯体固定部材１を挟んで一組の枠固定部材２，２を連結することができる。
【００２４】
このように、本実施形態の枠固定部材２，２同士の係合は、見込み方向の両側の２カ所で行われるので、枠固定部材２，２同士の連結が安定し、また、上下方向に対向する面で行われて見込み方向についての移動を規制するものではないので、枠固定部材２，２の製造誤差等による係合不良を回避することができる。
なお、マイナスドライバー等によって操作する部位は、枠固定部材２の一部分であればよく、下枠と躯体開口部との隙間から操作が可能な部位（操作片）であれば、さらに言えば枠体を設置後に操作することができれば、枠固定部材２のいずれの部分であってもよく、枠固定部材２の溝部２２３，２３３を形成する下縁部２２２，２３２に限るものではない。
【００２５】
一組の枠固定部材２，２が連結した状態においては、図８（ａ）に示すように、その間に挟まれた躯体固定部材１の一対の係合片１２，１２の係合凸部１２１ａに対して、一組の枠固定部材２，２の被係合部２１１、２１１の爪２１１ａが係合するように係合片１２，１２を挟み込む。このとき、被係合部２１１の一方側にスリット２１３が形成されており、被係合部２１１，２１１が略全幅にわたって係合方向に弾性変形可能となっているので、枠固定部材２，２をスライド操作した時、複数の爪２１１ａ，２１１ａ・・・のいずれかが係合凸部１２１ａに対して押圧状態で係合される。
【００２６】
そして、枠固定部材２，２の被係合部２１１，２１１が係合部１２１に対して見込み方向に重複するとともに、上壁部１２２に対して下方に位置することで、被係合部２１１，２１１は、係合片１２，１２の係合部１２１，１２１及び上壁部１２２，１２２によって、見込み方向及び上方への移動が規制され、躯体固定部材１に一組の枠固定部材２，２を固定することができる。
以上のように、一組の枠固定部材２，２の間に躯体固定部材１が配置された状態で枠固定部材２，２同士が連結されることにより、一組の枠固定部材２，２は躯体固定部材１に対して見込み方向、見付け方向及び上下方向の三方向において移動が規制されて係合することとなり、枠体の躯体に対する位置決めを行うことができる。
【００２７】
本実施形態においては、一組の枠固定部材２を連結した時に躯体固定部材１を挟み込む被係合部２１１，２１１の爪２１１ａ，２１１ａ同士が広い範囲に亘って対向し、見込み方向の広い範囲において対向させることができる。
そのため、図８（ｂ）のように、躯体固定部材が躯体開口部の見込み方向略中央位置からずれて固定されている場合であっても、躯体固定部材１の係合片１２，１２の係合部１２１，１２１に一組の枠固定部材２の被係合部２１１，２１１を対向させることができるので、枠体を見込み方向の中央に配置させた状態で固定することができる。
【００２８】
その後、躯体開口部Ｗの内周と下枠外周間の隙間ｓから、充填後に固化する充填材を充填することで、枠固定部材２の下縁部（操作片）２３２を移動不能に被服して、下枠の施工が完了する。
なお、充填材としては、コーキング材や発泡性の硬質ポリウレタンフォームなどが挙げられるが、開口部と下枠とを強固に固定できればどのような充填材を用いることも可能である。
下枠５の固定は、上枠及び縦枠の固定の前に行うこともできるし、同時に行うこともできる。
【００２９】
−第２の実施形態−
図９乃至１４に、本発明の第２の実施形態に係る建具取付具を示す。第２の実施形態に係る建具取付具は、躯体固定部材６と、一組の枠固定部材７と、一組の枠固定部材７を連結する連結部材８により構成されている。
第２の実施形態に係る建具取付具を構成する躯体固定部材６は、例えばスチール等の金属材料からなり、図９（ａ）に示すように、躯体開口部Ｗの下枠部分の内周面（上面）に配置される平面視略矩形状のベース部６１と、ベース部６１の上面より上方に突出する一対の係合片６２，６２とから構成されている。
一対の係合片６２，６２は、図９（ｂ）に示すように、室内側に配置される係合片６２Ａと室外側に配置される係合片６２Ｂとが、矩形状のベース部６１の見付け方向に位置をずらして見込み方向に対向するように設けられている。
【００３０】
係合片６２は、それぞれベース部６１の上面に略垂直に設けられる係合部６２１と、係合部６２１の上端が外方に屈曲して形成される上壁部６２２とから構成されている。
室内側の係合片６２の係合部６２１は、ベース部６１から立ち上がり見付け方向に平行な見付け面を形成する見付け壁６２１ａと、見付け壁６２１ａの見付け方向外周側が室外側に屈曲されて延びる傾斜壁６２１ｂとから形成されている。上壁部６２２は、見付け壁６２１ａの上端が外方に直角に屈曲されて水平な壁部として形成されている。
【００３１】
第２の実施形態に係る建具取付具を構成する一組の枠固定部材７は、例えば合成樹脂等の材料からなり、図１０（ａ）に示すように、全体として扁平なブロック状をなし、見込み方向の中央部を形成する中央本体部７１と、中央本体部７１の見込み方向外方に形成されるスライド部７２，７３とを有している。
中央本体部２１は、図１０（ａ）に示すように、見込み方向の両側の線７１ａ，７１ｂを台形の底辺（上底７１ａ，下底７１ｂ）とし、一方側の線７１ｃを両底辺（上底７１ａ，下底７１ｂ）と垂直な台形の脚７１ｃとし、他方側の線７１ｄを建具の見付け方向に対して傾斜する台形の他方側の脚７１ｄとする略台形状をなしている。そして、他方側の脚７１ｄである傾斜辺７１ｄの側面には広い範囲に亘って見付け方向に平行な見付け面と見付け面同士を結ぶ傾斜面とからなる複数の段部７１１ａ，７１１ａ・・・が傾斜辺７１ｄに沿って配置される被係合部７１１が形成されている。
そして、中央本体部７１は、一方側の上面には上方に隆起する隆起部７１２を有している。
【００３２】
スライド部７２，７３のうち、中央本体部７１の上底７１ａ側に形成されるスライド部７２は、図１０（ｂ）に示すように、中央本体部の上底７１ａに沿って形成される上縁部７２１と下縁部７２２とを有しており、上縁部７２１と下縁部７２２とにより側方に開口する溝部７２３が形成されている。
同様に、中央本体部７１の下底７１ｂ側に形成されるスライド部７３は、中央本体部の下底７１ｂに沿って上縁部７３１と下縁部７３２とにより形成される側方に開口する溝部７３３を有している。
そして、中央本体部７１の一方側側面には、図１０（ｃ），（ｄ）に示すように、スライド部７２，７３の側方に開口する溝部７２３，７３３を連絡する溝部７１３が形成されている。
溝部７２３，７３３を構成する上縁部７２１，７３１の下面にはスライド段部７２１ａ，７３１ａが形成されている。
【００３３】
枠固定部材７は、図１１（ｂ）に示すように、下枠５の長手方向に延びる室内側水平レール部５１１ａ及び室外側水平レール部５１２ａがスライド段部７３１ａに案内されるとともに、下枠５の底面５ｂに形成された見込み方向２カ所のビスホール５ａ，５ａ間に、枠固定部材７の中央本体部７１の隆起部７１２が案内されることで、下枠５の下面にスライド自在に配置することができる。
そして、第１の実施形態と同様に、枠固定部材７の下縁部（操作片）７２２，７３２は、室内側、室外側水平レール部５１１ａ，５１２ａの下方、即ち下枠５の下方に突出している。
【００３４】
連結部材８は、例えばスチールやステンレス等の金属材料からなり、図９（ｄ）に示すように、見付け方向の一辺部８１と、見付け方向の一辺部８１の両端部に連続して見込みに延びる２つの辺部８２，８２とからなり、平面視で幅広の略Ｕ字形状をなす薄板部材である。
そして、枠固定部材２，２に設けられた溝部７２３，７３３、溝部７１３及び連結部材８により、枠固定部材２，２同士を連結する連結手段が構成されている。
【００３５】
（建具の施工手順）  
第２の実施形態に係る建具取付具を用いた建具の施工方法について、説明する。なお、第１の実施形態に係る建具の施工方法と異なる工程は、「５．下枠の固定」のみであり、その他の工程については、同様であるので、「５．下枠の固定」の工程のみ説明し、他の説明は省略する。
【００３６】
５．下枠の固定
図１１（ａ），（ｂ）に示すように、枠固定部材７，７が装着された枠体を躯体固定部材６が固定された躯体開口部Ｗに配置した後、躯体開口部の内周面と下枠の外周面との隙間ｓに、例えばマイナスドライバー等を差し込んで、下縁部（操作片）７３２，７２２を操作して、一組の枠固定部材７，７同士が近接するようにスライドさせる。
一組の枠固定部材７，７をスライドさせることにより、図１２（ａ），（ｂ）に示すように、躯体固定部材６の係合片６２の見付け壁６２１ａと傾斜壁６２１ｂとによって形成される係合部６２１に対して、枠固定部材７に階段状に設けられた被係合部７１１の段部７１１ａ・・のいずれかを当接させる。
そして、躯体固定部材６の係合部６２１，６２１に枠固定部材７，７の被係合部７１１，７１１を当接させた状態で、一組の枠固定部材７，７の溝部７１３，７２３，７３３に対して、見込み方向から連結部材８を差し込む。
【００３７】
一組の枠固定部材７，７の溝部７１３，７２３，７３３に差し込まれた連結部材８は、図１３，１４に示すように、両枠固定部材７，７が分離することを規制して、枠固定部材７，７同士を連結することができる。
そして、枠固定部材７，７の被係合部７１１，７１１が躯体固定部材６の係合部６２１に対して見込み方向に重複するとともに、上壁部６２２に対して下方に位置することで、被係合部７１１，７１１は、係合片６２，６２の係合部６２１，６２１及び上壁部６２２，６２２によって、見込み方向及び上方への移動が規制されることにより、躯体固定部材６に一組の枠固定部材７，７を固定することができる。
その後、躯体開口部Ｗの内周と下枠外周間の隙間ｓから、充填後に固化する充填材を充填することで、枠固定部材２の下縁部（操作片）２３２を移動不能に被服して、下枠の施工が完了する。
【００３８】
以上の通りであるから、第１及び第２の実施形態の建具取付具によれば、枠の外周と躯体内周間に形成される隙間を利用して枠固定部材の操作片を操作して固定部材をスライドすることにより、躯体固定部材と枠固定部材を係合するため、お互いを別途ネジ等で締結する必要が無く、施工を容易に行うことができる。
このため枠の内周からネジ等を貫通させて枠を躯体に締め込む必要が無く、枠内周の雨水が、ネジ穴などから流入して、躯体に漏水することを防止することができる。
【００３９】
また、躯体内周と窓枠外周の隙間は、操作片がスライド操作可能な間隔を有してさえいればよく、枠固定部材を隙間から挿入したり、ネジを締め込むための大きな隙間を確保する必要がないため、納まりの自由度を向上することができる。
また、躯体内周と窓枠外周間の隙間を小さくできるので、隙間からコーキングや、硬質ポリウレタンフォームなどの、充填後に固化する充填材を充填するだけで隙間を閉塞することができ、別途隙間に塞ぎカバーなどを設置しなくても、意匠の低下を防止することができるため、部材点数を削減して、製造コストを抑えることができる。
【００４０】
そして、第１の実施形態の建具取付具によれば、複数の爪をそれぞれ係合方向に弾性変形可能に形成しているため、躯体固定部材と枠固定部材の係合を軽い力で行うことができ、係合させた後に弾性変形にて復元した係合部は、被係合部に強く食い込むため、係合力を強固なものにすることができる。
また、第２の実施形態の建具取付具によれば、枠固定部材は弾性的な変形を伴わずに、単純に当接しているだけであるため、当接作業をより軽い力で行うことができる。そして、弾性変形部を有していないことから、枠固定部材の強度を向上することができ、窓枠を強固に固定することができる。
なお、連結手段としては、特にその形状や構成が限定されるものではなく、一組の枠固定部材同士を連結することができれば、どのようなものでもよい。
【００４１】
また、上記第１及び第２の実施形態の建具取付具の枠固定部材の被係合部は、枠固定部材の移動（見付け）方向に対して所定角度（約２０度）の傾斜角を有する傾斜辺によって形成されているが、一組の枠固定部材が連結されたときに間に配置された躯体固定部材に係合して枠体の移動が規制できれば被係合部は傾斜辺でなくてもよく、例えば見込み方向に平行な辺や見込み方向に平行な辺によって被係合部を形成してもよい。
なお、実施形態においては、躯体固定部材に設けられる係合部はベース部を切起こすことによって形成されているが、本発明の躯体固定部材の係合部及び枠固定部材の被係合部の構成は、実施形態の構成に限定されるものではなく、枠固定部材同士が連結されることにより躯体固定部材と枠固定部材とが係合できるものであれば、躯体固定部材の係合部及び枠固定部材の被係合部の構成はどのようなものであってもよい。
【符号の説明】
【００４２】
１        ：躯体固定部材
１１      ：ベース部
１２      ：係合片
１２１    ：係合部
１２１ａ  ：係合凸部
１２２    ：上壁部
２        ：枠固定部材
２１      ：中央本体部
２１１    ：被係合部
２１１ａ  ：爪
２１２    ：隆起部
２１３    ：スリット
２２      ：スライド部
２２１    ：上縁部
２２１ａ  ：凹部
２２１ｂ  ：被係合突起
２２２    ：下縁部
２２３    ：溝部
２３      ：スライド部
２３１    ：上縁部
２３２    ：下縁部
２３３    ：溝部
２３４    ：係合腕部
２３４ａ  ：係合突起
５        ：下枠
５１      ：溝状部
５１１    ：室内側壁部
５１１ａ  ：室内側水平レール部
５１２    ：室外側壁部
５１２ａ  ：室外側水平レール部
６        ：躯体固定部材
６１      ：ベース部
６２      ：係合片
６２１    ：係合部
６２１ａ  ：見付け壁
６２１ｂ  ：傾斜壁
６２２    ：上壁部
７        ：枠固定部材
７１      ：中央本体部
７１１    ：被係合部
７１１ａ  ：段部
７１２    ：隆起部
７１３    ：溝部
７２      ：スライド部
７２１    ：上縁部
７２１ａ  ：スライド段部
７２２    ：下縁部
７２３    ：溝部
７３      ：スライド部
７３１    ：上縁部
７３１ａ  ：スライド段部
７３２    ：下縁部
７３３    ：溝部
８        ：連結部材
８１      ：一辺部
８２      ：辺部
【図１】
2017130358.tif 000003
【図２】
2017130358.tif 000004
【図３】
2017130358.tif 000005
【図４】
2017130358.tif 000006
【図５】
2017130358.tif 000007
【図６】
2017130358.tif 000008
【図７】
2017130358.tif 000009
【図８】
2017130358.tif 000010
【図９】
2017130358.tif 000011
【図１０】
2017130358.tif 000012
【図１１】
2017130358.tif 000013
【図１２】
2017130358.tif 000014
【図１３】
2017130358.tif 000015
【図１４】
2017130358.tif 000016
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
躯体開口部に固定される躯体固定部材と、
建具の枠材の外周面に設けられた溝状部に装着されるとともに、躯体固定部材に対して係合する一組の枠固定部材とを備え、
躯体固定部材は、躯体開口部に固定されるベース部と、ベース部に設けられる係合片を備え、
枠固定部材は、躯体固定部材の係合片に係合される被係合部と、枠固定部材同士を連結する連結手段とを備えるとともに、建具の枠材の溝状部に対して見付け方向にスライド可能であり、
躯体固定部材を間にして枠固定部材同士が連結されることにより、枠固定部材の被係合部と躯体固定部材の係合片とが係合して、溝状部の内側に位置される
ことを特徴とする建具取付具。
【請求項２】
躯体開口部に固定される躯体固定部材と、
建具の枠材に装着されるとともに、躯体固定部材に対して係合する一組の枠固定部材とを備え、
躯体固定部材は、躯体開口部に固定されるベース部と、ベース部に設けられる係合片を備え、
一組の枠固定部材は、それぞれが躯体固定部材の係合片に係合される被係合部を備えるとともに、それぞれが建具の枠材に対して見付け方向にスライド可能であり、
躯体固定部材を間にして枠固定部材同士が連結されることにより、枠固定部材の被係合部と躯体固定部材の係合片とが係合される
ことを特徴とする建具取付具。
【請求項３】
開口部に取り付けられる枠体と、枠体に支持されるパネル体と、請求項１又は２に係る建具取付具とを備え、
建具の枠体の枠材外周面に、建具取付具の枠固定部材がスライド可能に装着される溝状部を有する
ことを特徴とする建具。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
躯体開口部に固定される躯体固定部材と、  建具の枠材の外周面に設けられた溝状部に装着されるとともに、躯体固定部材に対して係合する一組の枠固定部材とを備え、  躯体固定部材は、躯体開口部に固定されるベース部と、ベース部に設けられる係合片を備え、  枠固定部材は、躯体固定部材の係合片に係合される被係合部と、枠固定部材同士を連結する連結手段とを備えるとともに、建具の枠材の溝状部に対して見付け方向にスライド可能であり、  躯体固定部材を間にして枠固定部材同士が連結されることにより、枠固定部材の被係合部と躯体固定部材の係合片とが係合して、溝状部の内側に位置される  ことを特徴とする建具取付具。
【請求項２】
躯体開口部に固定される躯体固定部材と、 建具の枠材に装着されるとともに、躯体固定部材に対して係合する一組の枠固定部材とを備え、 躯体固定部材は、躯体開口部に固定されるベース部と、ベース部に設けられる係合片を備え、 一組の枠固定部材は、それぞれが躯体固定部材の係合片に係合される被係合部を備えるとともに、それぞれが建具の枠材に対して見付け方向にスライド可能であり、 躯体固定部材を間にして枠固定部材同士が連結されることにより、枠固定部材の被係合部と躯体固定部材の係合片とが係合される ことを特徴とする建具取付具。
【請求項３】
開口部に取り付けられる枠体と、枠体に支持されるパネル体と、請求項１又は２に係る建具取付具とを備え、  建具の枠体の枠材外周面に、建具取付具の枠固定部材がスライド可能に装着される溝状部を有する  ことを特徴とする建具。 
【手続補正２】
【補正対象書類名】明細書
【補正対象項目名】０００６
【補正方法】変更
【補正の内容】
【０００６】  本願の請求項１に係る発明は、躯体開口部に固定される躯体固定部材と、建具の枠材の外周面に設けられた溝状部に装着されるとともに、躯体固定部材に対して係合する一組の枠固定部材とを備え、躯体固定部材は、躯体開口部に固定されるベース部と、ベース部に設けられる係合片を備え、枠固定部材は、躯体固定部材の係合片に係合される被係合部と、枠固定部材同士を連結する連結手段とを備えるとともに、建具の枠材の溝状部に対して見付け方向にスライド可能であり、躯体固定部材を間にして枠固定部材同士が連結されることにより、枠固定部材の被係合部と躯体固定部材の係合片とが係合して、溝状部の内側に位置されることを特徴とする。  本願の請求項２に係る発明は、躯体開口部に固定される躯体固定部材と、建具の枠材に装着されるとともに、躯体固定部材に対して係合する一組の枠固定部材とを備え、躯体固定部材は、躯体開口部に固定されるベース部と、ベース部に設けられる係合片を備え、一組の枠固定部材は、それぞれが躯体固定部材の係合片に係合される被係合部を備えるとともに、それぞれが建具の枠材に対して見付け方向にスライド可能であり、躯体固定部材を間にして枠固定部材同士が連結されることにより、枠固定部材の被係合部と躯体固定部材の係合片とが係合されることを特徴とする。  また、本願の請求項３に係る発明は、開口部に取り付けられる枠体と、枠体に支持されるパネル体と、請求項１又は２に係る建具取付具とを備え、建具の枠体の枠材外周面に、建具取付具の枠固定部材がスライド可能に装着される溝状部を有することを特徴とする。
【手続補正３】
【補正対象書類名】明細書
【補正対象項目名】００４１
【補正方法】変更
【補正の内容】
【００４１】  また、上記第１及び第２の実施形態の建具取付具の枠固定部材の被係合部は、枠固定部材の移動（見付け）方向に対して所定角度（約２０度）の傾斜角を有する傾斜辺によって形成されているが、一組の枠固定部材が連結されたときに間に配置された躯体固定部材に係合して枠体の移動が規制できれば被係合部は傾斜辺でなくてもよく、例えば見込み方向に平行な辺や見付け方向に平行な辺によって被係合部を形成してもよい。  なお、実施形態においては、躯体固定部材に設けられる係合部はベース部を切起こすことによって形成されているが、本発明の躯体固定部材の係合部及び枠固定部材の被係合部の構成は、実施形態の構成に限定されるものではなく、枠固定部材同士が連結されることにより躯体固定部材と枠固定部材とが係合できるものであれば、躯体固定部材の係合部及び枠固定部材の被係合部の構成はどのようなものであってもよい。
【国際調査報告】
2017130358.tif 000017
2017130358.tif 000018
2017130358.tif 000019